(57)【要約】【課題】世界の主要な地域の現地時間を知るのに、時差表は拡げず、間違い易い計算にも頼らず、又新たに高価な時計も購入せずに、ただ手持ちのアナログ時計に適用するだけでそのことが可能となる、安価に生産可能で且つ携帯性に優れた世界時間早見の道具と方法を提供する。【解決手段】地球上の各地域間の時差は確定している。日本からみた世界の各地域の現地時間を知るためには、基準となる時刻、例えば１２時の位置が日本と各地域でどれほど違っているか、が分かっていれば、その違いの分だけ回転させたもう１枚の別の文字盤で短針を読めば、即ち世界各地域の現地時間を知ることが出来ることになる。この別の文字盤そのものを、単葉のシールやカードの形態にすれば、時計カバーガラス面上に貼る、或いは重ね透かし見るといった簡便な方法で世界各地の現地時間を読み取れる道具と方法が提供できる。【選択図】図３
2004333128.tif 000002
【特許請求の範囲】
【請求項１】
透明な薄い合成樹脂製の板又はフィルム表面に時計文字盤が記された透視可能なアナログ時計用カード型携帯世界時間早見変換具。
【請求項２】
裏面に着脱自在な粘着用糊剤を有する透明な薄い合成樹脂製フィルム表面に時計文字盤が記された、透視可能なアナログ時計用シール型携帯世界時間早見変換具。
【請求項３】
時計文字盤の中心位置が明瞭に記された請求項１、又は請求項２に記載の携帯世界時間早見変換具。
【請求項４】
不透明な薄板に丸い穴が打ち抜かれ、その周縁に時刻線が記された時計文字盤であるカード型アナログ時計用携帯世界時間早見変換具。
【請求項５】
基準時刻の位置が、他の時刻とは異なる位置合せのための特別な位置であることを明瞭に示す図的特徴を備える、請求項１から請求項４の何れかに記載のアナログ時計用携帯世界時間早見変換具。
【請求項６】
基準時刻の位置が、他の時刻とは異なる位置合せのための特別な位置であることを明瞭に示す説明文を具備する請求項１から請求項４の何れかに記載のアナログ時計用携帯世界時間早見変換具。
【請求項７】
世界の主要地域間の時差を表わす図表を併せ備えた請求項１から請求項６の何れかに記載のアナログ時計用携帯世界時間早見変換具。
【請求項８】
開放端のある袋状の透明な合成樹脂製フィルムの裏表少なくともどちらか一方の外表面に、再剥離再貼り付け可能な弱い粘着剤を用いた請求項２のシール型携帯世界時間早見変換具が貼られていて、その袋内に時差図表と使用法などが記されたカードが収められているアナログ時計用カード型兼シール型携帯世界時間早見変換具。
【請求項９】
１２等分線で分けられた円形上に、時差に応じた相対位置に各地域の地名と時差指標数字が表示されている図表が、透明な薄い合成樹脂製の板又はフィルム表面に記された透視可能な時差参照図表。
【発明の詳細な説明】
【０００１】
【発明が属する技術分野】
本発明は、ある地域の標準時間を示すアナログ時計の文字盤の上に貼り付ける、或いは重ねて透かし見ることにより、世界の主要な地域の現地時間を視覚的に簡単に読み取ることを可能とするシール型又はカード型携帯世界時間早見変換具に関する。
【０００２】
【従来の技術】
世界の各地域の現地時間を知る方法として、（１）都度時差表を参照する、（２）時差を覚えていて都度計算をする、（３）文字盤などに特別の機構を備えた世界時間対応の時計から読み取る、などがある。（１）では時差表を持ち歩かねばならないし、（２）では計算を間違う可能性がある。（３）に付いては、アナログ時計に工夫をして世界主要都市の時刻を知ることを可能とする試みは従来数多くなされているが、構造は複雑で高価となる。
【０００３】
（１）の事例のひとつであるが、比較的簡易な世界時間早見の道具として、厚めの台紙の上に中心をピンで留めた回転可能な円盤を有する型のものがある。円盤の上には世界の主要な地域が時差に応じた位置に印刷されていて、円盤の直ぐ外周の台紙には２４時間の時刻数字が印刷されているものである。基準となる地域、例えば日本が午後３時だとすれば、円盤上の日本の位置を１５時に合せ、現地時間を知りたい地域を円盤上で探し、その地域が指している外周の時刻目盛りを読んで現地時間を知るという方式のものである。台紙、ピン、回転円盤の３部品からなる少し嵩張るが携行型の世界時間変換具である。
【０００４】
（３）の事例に付いて言えば、世界主要都市用の（駆動は同じ）複数の短針を備えたものや、２４時間時計の文字盤の上に世界地図などをデザインして文字盤の一部または全体を廻す仕掛けのもの、文字盤そのものに世界主要都市の標準時間と日本時間との時差を書き込んだものなどが提案されている。具体例としては、特開平１１−２１１８４８号公報に、二枚の回転体の一方に時刻を記載し、他方に主要都市の名称を記載し、その位置関係により世界の時刻を同時に表示する時刻標示器が開示されている。これらの従来技術は全て、時計そのものに現地時刻を表示する仕組みを作り込む必要があることから、機構が複雑で特殊仕様のため製造コストも高い。
【０００５】
【発明が解決しようとする課題】
世界の主要な地域の現地時間を知るのに、時差表は拡げず、間違い易い計算にも頼らず、又新たに高価な時計も購入せずに、ただ手持ちのアナログ時計カバーガラス面上に外部から直接適用することで済む、安価に生産可能でしかも携帯性に優れた薄い一葉の世界時間早見の道具と方法を提供する。
【０００６】
【課題を解決するための手段】
地球上の各地域間の時差は確定している。日本からみた世界の各地域の現地時間を知るためには、基準となる時刻、例えば１２時の位置が日本と各地域でどれほど違っているか、が分かっていれば、その違いの分だけ回転させたもう１枚の別の文字盤を使って短針（時針）を読むことにより各地域の現地時間を知ることが出来ることになる。上から透かして見ることのできる時計文字盤を、位置をキチンと合せながら時計のカバーガラス面上に重ねれば、このもう一枚の別の時計文字盤とすることができる。
【０００７】
【発明の実施の形態】
時計カバーガラス面上から重ね位置合せをしてから短針を透かし見ることを可能とする時計文字盤を実現する方法として、（１）透明な合成樹脂製薄板又はフィルム表面に時計文字盤を印刷したカード方式、（２）裏面に粘着糊剤を有する透明な合成樹脂製フィルム表面に時計文字盤を印刷したシール方式、（３）不透明な薄い板素材に円穴を開けその円周外縁に時計時刻線を配したカード方式などが考えられる。何れも簡易な携帯世界時間早見変換具である。薄い板又はフィルムの厚さは、実用上０．５ｍｍ以下である。
【０００８】
【実施例】
図１は透明な薄い合成樹脂製薄板又はフィルムに印刷された時計文字盤（以降の説明では“透視可能な時計文字盤”と簡略に記す）を表わす。１２時の位置に★の印を付けてあるのは、１２時を基準時刻としていることを示している。詰まり、例えば日本から世界の他地域の現地時間を知りたい時、日本標準時間１２時の時に他地域の１２時が何時間前又は後であるかを考えることを前提としている。どの時刻を基準時刻に選んでも構わないが、１２時が直感的に分かり易い。基準時刻位置を意味する★印は、１２時なら１２時を基準時間とすることを明確に説明する表現が付帯すれば、必ずしも必要ではない。時計カバーガラス面に重ねる際の位置合せの基準位置として、この時計文字盤の中心の位置と基準時刻の位置が本質的に重要な役割を果たす。透視可能な時計文字盤はカード型であっても、シール型であっても構わない。シール型の場合は時計に貼り付けたままとなるので非常に利便性が高くなる。繰り返して貼ったり剥がしたりできる粘着性の弱い糊剤を使用すれば、貼り変えるだけで簡単に他の地域の現地時間早見時計に変えられる。
【０００９】
図２は、世界の主要な地域の時差を表わす図表の一例である。基準時刻１２時の位置が日本と各地域でどれ程違うのかを円周時刻線上で示している。日本より時間が進んでいる地域、日本より時間が１２時間以内遅れている地域、日本より１２時間以上遅れている地域を色分けなどにより区別すれば、時差がより明瞭になる。この図表は、図１の透視可能な時計文字盤を時計のカバーガラス面上に中心を合せて重ねる際の、その★印の基準時刻１２時を合せるべきユーザーの実時計文字盤に対する円周位置を示していることになる。（図２は円形を使った時差図表であるが、単純に各地域の基準時刻位置がユーザー実時計文字盤の何時の位置に合せられるべきかを表にしただけのものでも構わない）
【００１０】
例えば日本に居てニューヨークの現地時間を知りたいと思えば、時差図表からニューヨークの位置が２時の位置であることを読み、ユーザー実時計文字盤の２時の円周角度位置に透視可能な時計文字盤の１２時の位置を合せてから、その重ねた透視可能な時計文字盤に対するユーザーの時計の短針を読めば良いのである。時計文字盤の中心の位置と透視可能な時計文字盤の中心位置とは当然重ね合わせておく必要がある。ただし、分針は元の実時計文字盤で読み取らねばならない。
（時差は時間単位に違えて定まっているが、分単位までは違えていない）
【００１１】
このように日本時間を基準にニューヨークの現地時間を知りたいと思って、本発明になる透視可能な時計文字盤をユーザー時計のカバーガラス面上に重ねた状態を示すのが図３である。図３では、実時計文字盤より重ねた透視可能な時計文字盤の方が大きい状態を示しているが、大きさは逆であっても構わない。何れにせよ、時計短針だけを重ねた透視可能な時計文字盤で読み、分針は元の実時計文字盤で読む。図の例では、日本が４時３５分の時、ニューヨークの現地時間が２時３５分であることを意味している。時差の図表から、ニューヨークが日本時間より１４時間遅れていることが分かるが、このことを考慮して現地時間が午前か午後かの判断がつく。もしもニューヨーク現地に居て日本標準時間から現地時間を読む場合には、午前なのか午後なのかは現地で自明である。このように、本発明品を携帯していれば、ニューヨークに旅行しても時計の針を合せ直す必要がなくなる。時計は日本時間のままで良い。
【００１２】
図４は、日本時間を基準に今度はロンドンの現地時間を知りたいと思って、先の透視可能な時計文字盤をユーザーの時計カバーガラス面上に重ね合わせる位置をロンドン用に調整し直した状態を示している。先のニューヨークの場合と同様にして、ロンドンの現地時間が７時３５分であることが分かる。ロンドンは日本時間より９時間遅れていることを考慮して午前か午後かの判断ができる。もしロンドン現地に居て日本時間から現地時間を読む場合には、午前なのか午後なのかは現地で自明である。かくして、ニューヨークに旅行して更にロンドンに旅行しても、時計を日本時間のままにしておきながら、ただ本発明になる透視可能な時計文字盤のユーザーの時計カバーガラス面上への重ね合せ位置を調整するだけで、現地時間を通常の時計を読むように直感的に読み取ることができる。
【００１３】
米国や英国など日本以外の地域では、夏の期間だけサマータイムと称して１時間だけ時計を進めることがあるが、その場合には重ね合わせる角度位置を１時間分だけずらす（ニューヨークの場合なら実時計文字盤の１時の位置に透視可能な時計文字盤の基準時刻１２時の位置を合せる）必要がある。或いは通常に読み取った時間に１時間を加えても良い。
【００１４】
図５は、ユーザーが使い易いようにカード形態にデザインされた本発明品の一例である。この１枚のカードの左下部に本発明の透視可能な時計文字盤が配されている。この部分が透明な合成樹脂板又はフィルムに時計文字盤が直接に印刷されているカード一体形態ものであっても良いし、或いはそこから剥がして用いる透明フィルムに時計文字盤が印刷されたシール貼り付けの形態であっても良い。（板又はフィルムに直接印刷されているカード一体形態の場合には、その部分を時計のカバーガラス面上に位置を合せながら重ね置いて使用する。シール貼り付け形態の場合には、そこからシールを剥がして時計カバーガラス面上に位置を合せて貼り重ねて使用する、従ってこの場合貼り付けられている基のカードは透明な素材でなくても構わない）或いは、不透明な板に開けられた円穴時計文字盤（以降“円穴時計文字盤”と簡略表記する）カード形態であっても良いが、この場合は中心位置を確定し難いのでユーザーの時計カバーガラス面上に置く時に位置合せが少し難しくなる欠点がある。但し安価に生産可能である。カードの中程より上の部分には使用方法の説明文が記されている。中央下部には、世界各地の時差および透視可能な時計文字盤の★印基準時刻位置を実時計文字盤に合せる角度位置を示す時差図表が配されている。カードの右下部は宣伝の目的に使っている。このカードの裏面も、説明や宣伝のために使うことができる。ユーザーの携帯性を考えて、カードの大きさをクレジットカードやテレホンカードに合せておけば使い易い。こように、本発明品を使用説明文と共に唯１葉に、従って安価に且つ携帯性に優れて、形成できる点が本発明の大きな特徴である。
【００１５】
図６は、透明な薄い合成樹脂板に印刷された世界各地域の時差と時差指標数字を示す（以降これを“透視可能な時差指標盤”と簡略に記す）ものである。これの役割は、標準時間地域を自由に変えて本発明の透視可能な時計文字盤或いは円穴時計文字盤を全世界共通で用いることを可能とすることである。即ち、透視可能な時差指標盤をその中心をユーザーの実時計文字盤中心に合せながら重ね、且つユーザー時計の標準時間地域名の位置をユーザー実時計文字盤１２時の位置に合せ、その状態で知りたい現地時間の地域の名前がユーザー実時計文字盤の何時の位置に相当しているかを読み取る。然る後、透視可能な時計文字盤の標準時刻位置をその読み取った時刻位置に合せながらユーザー時計カバーガラス面上に重ねる。そして、短針の指す位置を透視可能な時計文字盤から読み取れば、それが知りたい現地時間である。
【００１６】
図７は、この透視可能な時差指標盤と透視可能な時計文字盤とを備える１枚の実用的な全世界共通のカード型携帯世界時間早見変換具の一例である。図５の場合と同様、これら透視可能な時差指標盤と時計文字盤は、透明な板又はフィルムの上に直接印刷形成されたカード一体の形態であっても良いし、シール型が貼られた形態であっても構わない。カード内には併せて使用方法の説明文が記されている。この使用方法の説明はこのカードの裏面に記されていても構わない。この場合もカードの大きさをクレジットカード並みにしておくことにより、ユーザーの携行利便性が高くなる。このように、唯の１葉のカードに、全世界共通に使える世界時間早見変換具を形成できる点が本発明の大きな特徴である。
【００１７】
図５又は図７に示すようなデザインが不透明な素材上に印刷されたカードが、一端開放の袋状の透明な合成樹脂フィルム内に収められていて、透視可能な時計文字盤相当部分に、その袋の外表面から本発明のシール型透視可能時計文字盤が貼られた形態のものも使い勝手が良い。シールが貼られたままの状態で中のカードを抜き出せば、そのシール型透視可能時計文字盤を恰もカード型透視可能文字盤のように使えるし、或いは、剥がして時計のカバーガラス面上に貼って本来のシール型透視可能時計文字盤としても使える。（シールに用いる粘着剤は、貼ったり剥がしたりできる弱い粘着性のものにする）このような形態に加工すれば、即ちカード型とシール型の両方の機能を持たせることができる。この場合には一葉のカードと１枚の透明な袋の２つの部品にはなるが、携帯性が損なわれることはない。
【００１８】
【発明の効果】
本発明になる透視可能な時計文字盤を、アナログ時計カバーガラス面上に位置合せをして重ねその文字盤で短針を読み取ることにより、世界各地の現地時間を視覚的に知ることができる。即ち、海外旅行の時に時計の針を調整し直す必要がなくなる。（海外旅行時に時計の針の調整が不要）
【００１９】
透視可能な時計文字盤を実現する方法に、（１）透明な樹脂板又はフィルム上に時計文字盤が記された透視可能なカード型、（２）裏面に粘着剤を用いた透明な樹脂板又はフィルム上に時計文字盤が記された透視可能なシール型、（３）不透明な板又はフィルムに円形の穴を打ち抜き、その周りに時刻線や数字を記したカード型円穴時計文字盤、の３通りが考えられるが、何れの場合も比較的安価に生産が可能であり、世界時間を知るためにユーザーが払う対価は極めて軽微で済む。（安価に生産可能）
【００２０】
本発明になる世界時間早見変換具は、何れの場合も一葉の軽量な携帯性に優れたカード型又はシール型に形成できる。カード型の場合、財布、名刺入れ、カードホルダーなどに収納して携行でき便利である。シール型の場合は収納場所さえ要らず、何時でも手間暇を掛けずに利用できて更に便利が良い。（携帯性が良い）
【００２１】
世界時間を知るための透視可能な時計文字盤の使用方法は、通常の時計の針を読むことと基本的に同じなので直感的に分かり易い。うっかり間違い易い計算をしなくて済む。（使用方法が、通常に時計を読むのと基本的に同じで簡単）
【図面の簡単な説明】
【図１】本発明になる透視可能な時計文字盤。透明な樹脂板又はフィルムに時計文字盤が印刷されている。
【図２】世界各地域間の時差図表の一例。透視可能な時計文字盤を時計カバーガラス面上で合せるべき位置を読み取るために必要。
【図３】本発明になる透視可能な時計文字盤を、ユーザーの時計カバーガラス面上に位置合せをして重ねた状態を示す。（この場合はニューヨーク現地時間を知ろうとしている）
【図４】本発明になる透視可能な時計文字盤を、ユーザーの時計カバーガラス面上に位置合せをして重ねた状態を示す。（この場合はロンドン現地時間を知ろうとしている）
【図５】本発明になる透視可能な時計文字盤を、実用的な形にデザインして纏めた一例。
【図６】本発明になる透視可能な時計文字盤を、世界中のどの地域からも同等に使えるようにするための透視可能な時差指標盤の一例。
【図７】図６の透視可能な時差指標盤を組み入れて、本発明になる透視可能な時計文字盤を全世界共通に使用できるようにした実用的デザインの一例。
【図１】
2004333128.tif 000003
【図２】
2004333128.tif 000004
【図３】
2004333128.tif 000005
【図４】
2004333128.tif 000006
【図５】
2004333128.tif 000007
【図６】
2004333128.tif 000008
【図７】
2004333128.tif 000009